(57)【要約】【課題】確認作業者の負担が軽減するとともに、会場での出席者の手続きが不要となり、かつ、カード等を所持管理する必要がない出欠確認システムを提供する。【解決手段】試験会場などの部屋に出席を希望する出席者の顔画像を、当該出席者が着席を指定された座席の位置情報と対応させてあらかじめ記憶している第１の記憶手段、および、上記部屋の各座席の位置情報をあらかじめ記憶している第２の記憶手段を有し、上記部屋の全体画像をカメラにより撮像し、この撮像した画像から上記第２の記憶手段に記憶された各座席の位置情報に基づき各座席に着席している出席者の顔画像を取得し、この取得した顔画像と、当該顔画像を取得した出席者が着席している座席の位置情報に基づき上記第１の記憶手段から取得した顔画像とを照合し、両顔画像の間に所定の関係が成立する場合は出席と判定し、両顔画像の間に所定の関係が成立しない場合は欠席と判定する。【選択図】      図１
2008250830.tif 000002
【特許請求の範囲】
【請求項１】
内部に複数の座席を備えた出席対象エリアに出席を希望する出席者の顔画像を、当該出席者が前記出席対象エリア内の着席を指定された座席の位置情報と対応させてあらかじめ記憶している第１の記憶手段と、
前記出席対象エリア内の各座席の位置情報をあらかじめ記憶している第２の記憶手段と、
前記出席対象エリア内の少なくとも各座席部分を含む画像を撮像する撮像手段と、
この撮像手段から得られる画像から前記第２の記憶手段に記憶された各座席の位置情報に基づき前記各座席に着席している出席者の顔画像を取得する顔画像取得手段と、
この顔画像取得手段により取得された顔画像と、当該顔画像を取得した出席者が着席している座席の位置情報に基づき前記第１の記憶手段から取得した顔画像とを照合し、両顔画像の間に所定の関係が成立する場合は出席と判定し、両顔画像の間に所定の関係が成立しない場合は欠席と判定する照合手段と、
を具備したことを特徴とする出欠確認システム。
【請求項２】
内部に複数の座席を備えた出席対象エリアに出席を希望する出席者の顔画像を、当該出席者が前記出席対象エリア内の着席を指定された座席の位置情報と対応させてあらかじめ記憶している第１の記憶手段と、
前記出席対象エリア内の各座席の位置情報をあらかじめ記憶している第２の記憶手段と、
出席者の少なくとも顔を含む画像を撮像する撮像手段と、
前記第２の記憶手段に記憶された各座席の位置情報に基づき前記撮像手段の撮像視野を変化させることで前記各座席に着席している出席者の顔画像を取得する顔画像取得手段と、
この顔画像取得手段により取得された顔画像と、当該顔画像を取得した出席者が着席している座席の位置情報に基づき前記第１の記憶手段から取得した顔画像とを照合し、両顔画像の間に所定の関係が成立する場合は出席と判定し、両顔画像の間に所定の関係が成立しない場合は欠席と判定する照合手段と、
を具備したことを特徴とする出欠確認システム。
【請求項３】
内部に複数の座席を備えた出席対象エリアに出席を希望する出席者の顔画像を、当該出席者が前記出席対象エリア内の着席を指定された座席の位置情報と対応させてあらかじめ記憶している第１の記憶手段と、
前記出席対象エリア内の各座席にそれぞれ設置され、当該座席に着席した出席者の少なくとも顔を含む画像を撮像する複数の撮像手段と、
この複数の撮像手段により取得された顔画像と、当該撮像手段が設置されている座席の位置情報に基づき前記第１の記憶手段から取得した顔画像とを照合し、両顔画像の間に所定の関係が成立する場合は出席と判定し、両顔画像の間に所定の関係が成立しない場合は欠席と判定する照合手段と、
を具備したことを特徴とする出欠確認システム。
【請求項４】
内部に複数の座席を備えた出席対象エリアに出席を希望する出席者の顔画像を、当該出席者が前記出席対象エリア内の着席を指定された座席の位置情報と対応させてあらかじめ記憶している第１の記憶手段、および、前記出席対象エリア内の各座席の位置情報をあらかじめ記憶している第２の記憶手段を有し、
前記出席対象エリア内の少なくとも各座席部分を含む画像を撮像手段により撮像し、
この撮像した画像から前記第２の記憶手段に記憶された各座席の位置情報に基づき前記各座席に着席している出席者の顔画像を取得し、
この取得した顔画像と、当該顔画像を取得した出席者が着席している座席の位置情報に基づき前記第１の記憶手段から取得した顔画像とを照合し、両顔画像の間に所定の関係が成立する場合は出席と判定し、両顔画像の間に所定の関係が成立しない場合は欠席と判定する、
ことを特徴とする出欠確認方法。
【請求項５】
内部に複数の座席を備えた出席対象エリアに出席を希望する出席者の顔画像を、当該出席者が前記出席対象エリア内の着席を指定された座席の位置情報と対応させてあらかじめ記憶している第１の記憶手段、および、前記出席対象エリア内の各座席の位置情報をあらかじめ記憶している第２の記憶手段を有し、
前記第２の記憶手段に記憶された各座席の位置情報に基づき、出席者の少なくとも顔を含む画像を撮像する撮像手段の撮像視野を変化させることで前記各座席に着席している出席者の顔画像を取得し、
この取得した顔画像と、当該顔画像を取得した出席者が着席している座席の位置情報に基づき前記第１の記憶手段から取得した顔画像とを照合し、両顔画像の間に所定の関係が成立する場合は出席と判定し、両顔画像の間に所定の関係が成立しない場合は欠席と判定する、
ことを特徴とする出欠確認方法。
【請求項６】
内部に複数の座席を備えた出席対象エリアに出席を希望する出席者の顔画像を、当該出席者が前記出席対象エリア内の着席を指定された座席の位置情報と対応させてあらかじめ記憶している第１の記憶手段を有し、
前記出席対象エリア内の各座席にそれぞれ設置された撮像手段により、当該座席に着席した出席者の少なくとも顔を含む画像を撮像し、
この撮像した顔画像と、当該撮像手段が設置されている座席の位置情報に基づき前記第１の記憶手段から取得した顔画像とを照合し、両顔画像の間に所定の関係が成立する場合は出席と判定し、両顔画像の間に所定の関係が成立しない場合は欠席と判定する、
ことを特徴とする出欠確認方法。
【発明の詳細な説明】
【技術分野】
【０００１】
本発明は、たとえば、多くの人が集まる試験会場など出席者と座席とが一致する必要がある部屋（出席対象エリア）において出席者の出欠確認を自動的に行なう出欠確認システムおよび出欠確認方法に関する。
【背景技術】
【０００２】
従来、この種の出欠確認システムとして、出席者が持参するＩＣカードを座席付近の無線タグ用リーダ・ライタに翳すことにより出欠確認を行なうとともに、ＩＣカードから読込んだＩＤ情報と位置情報から出席者状況マップを画像としてディスプレイ上に表示するものが公知である（たとえば、特許文献１参照）。
【特許文献１】特開２００５−２６７３５５号公報
【発明の開示】
【発明が解決しようとする課題】
【０００３】
しかしながら、特許文献１の公知技術では、出席者はＩＣカードを管理し、会場に持参する必要があり、出席者の負担となるばかりか、毎回会場での手続きを必要とする。  
また、ＩＣカードを紛失した際、ＩＣカードの不携帯時は余分な手続きが必要となる。さらに、ＩＣカードによる本人認証であるため、不正防止になりにくいという問題がある。
【０００４】
そこで、本発明は、確認作業者の負担が軽減するとともに、会場での出席者の手続きが不要となり、かつ、カード等を所持管理する必要がない出欠確認システムおよび出欠確認方法を提供することを目的とする。
【課題を解決するための手段】
【０００５】
本発明の出欠確認システムは、内部に複数の座席を備えた出席対象エリアに出席を希望する出席者の顔画像を、当該出席者が前記出席対象エリア内の着席を指定された座席の位置情報と対応させてあらかじめ記憶している第１の記憶手段と、前記出席対象エリア内の各座席の位置情報をあらかじめ記憶している第２の記憶手段と、前記出席対象エリア内の少なくとも各座席部分を含む画像を撮像する撮像手段と、この撮像手段から得られる画像から前記第２の記憶手段に記憶された各座席の位置情報に基づき前記各座席に着席している出席者の顔画像を取得する顔画像取得手段と、この顔画像取得手段により取得された顔画像と、当該顔画像を取得した出席者が着席している座席の位置情報に基づき前記第１の記憶手段から取得した顔画像とを照合し、両顔画像の間に所定の関係が成立する場合は出席と判定し、両顔画像の間に所定の関係が成立しない場合は欠席と判定する照合手段とを具備している。
【０００６】
また、本発明の出欠確認システムは、内部に複数の座席を備えた出席対象エリアに出席を希望する出席者の顔画像を、当該出席者が前記出席対象エリア内の着席を指定された座席の位置情報と対応させてあらかじめ記憶している第１の記憶手段と、前記出席対象エリア内の各座席の位置情報をあらかじめ記憶している第２の記憶手段と、出席者の少なくとも顔を含む画像を撮像する撮像手段と、前記第２の記憶手段に記憶された各座席の位置情報に基づき前記撮像手段の撮像視野を変化させることで前記各座席に着席している出席者の顔画像を取得する顔画像取得手段と、この顔画像取得手段により取得された顔画像と、当該顔画像を取得した出席者が着席している座席の位置情報に基づき前記第１の記憶手段から取得した顔画像とを照合し、両顔画像の間に所定の関係が成立する場合は出席と判定し、両顔画像の間に所定の関係が成立しない場合は欠席と判定する照合手段とを具備している。
【０００７】
また、本発明の出欠確認システムは、内部に複数の座席を備えた出席対象エリアに出席を希望する出席者の顔画像を、当該出席者が前記出席対象エリア内の着席を指定された座席の位置情報と対応させてあらかじめ記憶している第１の記憶手段と、前記出席対象エリア内の各座席にそれぞれ設置され、当該座席に着席した出席者の少なくとも顔を含む画像を撮像する複数の撮像手段と、この複数の撮像手段により取得された顔画像と、当該撮像手段が設置されている座席の位置情報に基づき前記第１の記憶手段から取得した顔画像とを照合し、両顔画像の間に所定の関係が成立する場合は出席と判定し、両顔画像の間に所定の関係が成立しない場合は欠席と判定する照合手段とを具備している。
【０００８】
また、本発明の出欠確認方法は、内部に複数の座席を備えた出席対象エリアに出席を希望する出席者の顔画像を、当該出席者が前記出席対象エリア内の着席を指定された座席の位置情報と対応させてあらかじめ記憶している第１の記憶手段、および、前記出席対象エリア内の各座席の位置情報をあらかじめ記憶している第２の記憶手段を有し、前記出席対象エリア内の少なくとも各座席部分を含む画像を撮像手段により撮像し、この撮像した画像から前記第２の記憶手段に記憶された各座席の位置情報に基づき前記各座席に着席している出席者の顔画像を取得し、この取得した顔画像と、当該顔画像を取得した出席者が着席している座席の位置情報に基づき前記第１の記憶手段から取得した顔画像とを照合し、両顔画像の間に所定の関係が成立する場合は出席と判定し、両顔画像の間に所定の関係が成立しない場合は欠席と判定することを特徴とする。
【０００９】
また、本発明の出欠確認方法は、内部に複数の座席を備えた出席対象エリアに出席を希望する出席者の顔画像を、当該出席者が前記出席対象エリア内の着席を指定された座席の位置情報と対応させてあらかじめ記憶している第１の記憶手段、および、前記出席対象エリア内の各座席の位置情報をあらかじめ記憶している第２の記憶手段を有し、前記第２の記憶手段に記憶された各座席の位置情報に基づき、出席者の少なくとも顔を含む画像を撮像する撮像手段の撮像視野を変化させることで前記各座席に着席している出席者の顔画像を取得し、この取得した顔画像と、当該顔画像を取得した出席者が着席している座席の位置情報に基づき前記第１の記憶手段から取得した顔画像とを照合し、両顔画像の間に所定の関係が成立する場合は出席と判定し、両顔画像の間に所定の関係が成立しない場合は欠席と判定することを特徴とする。
【００１０】
また、本発明の出欠確認方法は、内部に複数の座席を備えた出席対象エリアに出席を希望する出席者の顔画像を、当該出席者が前記出席対象エリア内の着席を指定された座席の位置情報と対応させてあらかじめ記憶している第１の記憶手段を有し、前記出席対象エリア内の各座席にそれぞれ設置された撮像手段により、当該座席に着席した出席者の少なくとも顔を含む画像を撮像し、この撮像した顔画像と、当該撮像手段が設置されている座席の位置情報に基づき前記第１の記憶手段から取得した顔画像とを照合し、両顔画像の間に所定の関係が成立する場合は出席と判定し、両顔画像の間に所定の関係が成立しない場合は欠席と判定することを特徴とする。
【発明の効果】
【００１１】
本発明によれば、自動的に出欠確認を行なうことにより、確認作業者の負担が軽減するとともに、会場での出席者の手続きが不要となり、かつ、カード等を所持管理する必要がない出欠確認システムおよび出欠確認方法を提供できる。
【発明を実施するための最良の形態】
【００１２】
以下、本発明の実施の形態について図面を参照して説明する。  
まず、第１の実施の形態について説明する。  
図１は、第１の実施の形態に係る出欠確認システムの構成を模式的に示すものである。なお、以下の説明では、たとえば、多くの人が集まる試験会場など出席者と座席とが一致する必要がある部屋において出席者の出欠確認を自動的に行なう場合について述べるものとする。
【００１３】
図１において、会場である部屋２０には、たとえば、２つの出入口１，２が設けられているものとする。部屋２０には、出席者用の多数の机３が配列されているとともに、これら各机３にはそれぞれ複数（図では３つ）の座席４が設けられており、これら各座席４に出席者Ｍが着席するものとする。また、部屋２０の正面には、出欠確認者Ｎ用の机５が設けられている。ここに、各座席４には、固有の座席番号（たとえば、１，２，３，…）が連番で付与されているものとする。
【００１４】
部屋２０の正面所定部位で、図面に対し左右方向の中間位置には、少なくとも各座席部分を含む画像、この例では部屋全体の画像を撮像する撮像手段としてのビデオカメラ（以降、単にカメラと略称する）６が設置されている。
【００１５】
カメラ６で撮像された画象は顔照合サーバ７に送られる。顔照合サーバ７は、後で詳細を説明する出欠確認処理を行なうもので、顔画像データベース（第１の記憶手段）８、座席データベース（第２の記憶手段）９、および、出欠確認の結果を保存し管理する出欠管理メモリ１０を有している。
【００１６】
顔画像データベース８は、出席を希望する出席者の顔画像が、当該出席者が着席を指定された座席４の位置情報と対応させてあらかじめ登録（記憶）されている。出席を希望する出席者の顔画像は、後述する顔画像登録装置１２により登録される。
【００１７】
なお、顔画と対応させて登録する情報は、座席の位置情報のみに限らず、当該出席者の受験番号（１Ｄ番号）や名前なども一緒に登録してもよい。また、各座席４の位置情報は、後で詳細を説明する方法によって取得される。
【００１８】
座席データベース９は、部屋２０内の各座席４の位置情報が座席番号と対応させてあらかじめ登録（記憶）されている。なお、各座席４の位置情報は、後で詳細を説明する方法によって取得される。
【００１９】
顔照合サーバ７には、出欠確認の結果を表示したりプリントアウトしたりする出力装置１１および顔画像登録装置１２が接続されている。  
顔画像登録装置１２は、出席を希望する出席者の顔画像を登録するためのもので、その登録方法は、たとえば、大学や街中などに設置された専用端末装置によるものやインタネットでの申し込みとする。専用端末装置で申込む場合は、カメラと顔登録システムを有する端末装置で行ない、インタネットで申込む場合は、携帯電話機やデジタルカメラで撮像した顔画像をインタネットで転送することにより、顔照合サーバ７において顔画像データベース８に登録される。
【００２０】
ここで、各座席４の位置情報を取得する第１の取得方法について説明する。第１の取得方法は、カメラ６の設置位置から座席４（出席者Ｍの顔）までの距離、および、そのときのカメラ６の向き（撮像視野）を手動で測定し、その測定値を座席４の位置情報として座席番号とともに座席データベース９に登録する。
【００２１】
次に、各座席４の位置情報を取得する第２の取得方法について説明する。第２の取得方法は、顔照合サーバ７により自動的に行なうもので、その処理手順を図２のフローチャートに示す。まず、あらかじめ各座席４に対応する机３の上に目印としてのシールをそれぞれ貼付しておくものとする。
【００２２】
この状態で、カメラ６で部屋２０全体を撮像する（ステップＳ１）。次に、撮像された全体画象を用いて、机３の上に設けられたシールを検出する（ステップＳ２）。次に、撮像された全体画象を用いて、検出されたシールの位置（出席者Ｍの顔）からカメラ６の設置位置までの距離、および、そのときのカメラ６の向き（撮像視野）を自動的に測定する（ステップＳ３）。次に、その測定値を座席４の位置情報として座席番号とともに座席データベース９に登録する（ステップＳ４）。ステップＳ２〜Ｓ４までの処理を各座席４ごとに繰り返す（ステップＳ５）。
【００２３】
次に、各座席４の位置情報を取得する第３の取得方法について説明する。第３の取得方法も、顔照合サーバ７により自動的に行なうもので、その処理手順を図３のフローチャートに示す。まず、あらかじめサンプルとなる人物の顔画像を顔画像データベース８に登録しておくものとする。
【００２４】
この状態で、ある座席４において実際にサンプルとなる人物が着席し、カメラ６の向きを手動で調節することで当該人物の顔画像を撮像する（ステップＳ１１，Ｓ１２）。次に、撮影した顔画像をあらかじめ顔画像データベース８に登録されたサンプルとなる人物の顔画像と照合する（ステップＳ１３）。
【００２５】
この照合の結果、両顔画像の間に所定の関係が成立しない場合、この例では両顔画像が不一致の場合（ステップＳ１３）、ステップＳ１１に戻って上記同様な処理を繰り返し、両顔画像の間に所定の関係が成立する場合、この例では両顔画像が一致の場合（ステップＳ１３）、座席４に対するカメラ６の向きや距離が適切であるものと判断して、カメラ６の設置位置から座席４までの距離、および、そのときのカメラ６の向きを測定し、その測定値を座席４の位置情報として座席番号とともに座席データベース９に登録する（ステップＳ１５）。ステップＳ１１〜Ｓ１６までの処理を各座席４ごとに繰り返す（ステップＳ１６）。
【００２６】
次に、このような構成において第１の実施の形態に係る出欠確認処理の流れについて図４に示すフローチャートを参照して説明する。まず、カメラ６で部屋２０全体を撮像する（ステップＳ２１）。次に、座席データベース９にあらかじめ登録されている各座席４の位置情報を読込む（ステップＳ２２）。
【００２７】
次に、撮像された部屋全体の画象から、座席データベース９から読込んだ各座席４の位置情報を基に各座席４における顔画像と思われる部分を順次抽出する（ステップＳ２３）。すなわち、撮像された部屋全体の画象から、座席４の位置情報を基に各座席４における人物らしき姿を検出した後、その人物画像から目、鼻を探し特徴情報を抽出し顔検出処理を行なうことで、それが人物であると判断し、座席４に出席者Ｍが着席していることを検出する。
【００２８】
なお、ステップＳ２３における顔画像と思われる部分の抽出は、上記したような画像処理により行なってもよいが、たとえば、撮像された部屋全体の画象をディスプレイに表示し、その表示画面において、係員が出席者Ｍの顔画像と思われる部分をタッチペンなどで指示することで、顔画像を抽出するようにしてもよい。
【００２９】
次に、検出した顔画像と、当該顔画像を検出した座席４の位置情報を基に顔画像データベース８から検索した顔画像とを照合する（ステップＳ２４）。この照合の結果、両顔画像の間に所定の関係が成立する場合、この例では両顔画像が一致の場合（ステップＳ２５）、正規の出席者Ｍ本人が出席しているものと判定し（ステップＳ２６）、両顔画像の間に所定の関係が成立しない場合、この例では両顔画像が不一致の場合（ステップＳ２５）、正規の出席者Ｍ本人が欠席しているものと判定し（ステップＳ２７）、当該判定結果を対応する座席番号等とともに出欠管理メモリ１０に保存して管理するとともに、出力装置１１で出力する（ステップＳ２８）。なお、顔画像が検出されなかった場合、出席者Ｍが欠席しているものと判定されることは説明するまでもない。
【００３０】
ステップＳ２３〜Ｓ２８までの処理を各座席４ごとに繰り返す（ステップＳ２９）。たとえば、座席番号の小さい方から大きい方へと順次繰り返し行なうものとする。
【００３１】
以上説明したように、第１の実施の形態によれば、自動的に出欠確認を行なうことにより、確認作業者の負担が軽減するとともに、会場での出席者の手続きが不要となり、かつ、カード等を所持管理する必要がない。また、各部屋単位でシステムを構築することが可能であり、低コストで出欠確認を実現できる。
【００３２】
さらに、着席した状態で顔照合を行なうことにより、カードの使いまわし等の不正を防止できる。また、一定期間出席者の顔画像を保存し、再利用することが可能となり、事前登録手続きを省くことができる。また、着席している状況をカメラで定期的に撮像することで、入退出状況を把握することができる。
【００３３】
次に、第２の実施の形態について説明する。  
なお、システム構成は前述した第１の実施の形態と同様であるので説明は省略し、第１の実施の形態と異なる部分についてだけ詳細に説明する。  
まず、第２の実施の形態では、カメラ６はその向き（撮像視野）を可変制御できるものとする。
【００３４】
次に、第２の実施の形態に係る出欠確認処理の流れについて図５に示すフローチャートを参照して説明する。まず、座席データベース９にあらかじめ登録されている各座席４の位置情報を読込む（ステップＳ３１）。
【００３５】
次に、座席データベース９から読込んだ各座席４の位置情報を基に、カメラ６の向き（撮像視野）を各座席４に順次合わせて撮像することで顔画像を取得する（ステップＳ３２）。すなわち、撮像された座席４の画象から人物らしき姿を検出した後、その人物画像から目、鼻を探し特徴情報を抽出し顔検出処理を行なうことで、それが人物であると判断し、座席４に出席者Ｍが着席していることを検出する。
【００３６】
次に、検出した顔画像と、当該顔画像を検出した座席４の位置情報を基に顔画像データベース８から検索した顔画像とを照合する（ステップＳ３３）。この照合の結果、両顔画像の間に所定の関係が成立する場合、この例では両顔画像が一致の場合（ステップＳ３４）、正規の出席者Ｍ本人が出席しているものと判定し（ステップＳ３５）、両顔画像の間に所定の関係が成立しない場合、この例では両顔画像が不一致の場合（ステップＳ３４）、正規の出席者Ｍ本人が欠席しているものと判定し（ステップＳ３６）、当該判定結果を対応する座席番号等とともに出欠管理メモリ１０に保存して管理するとともに、出力装置１１で出力する（ステップＳ３７）。なお、顔画像が検出されなかった場合、出席者Ｍが欠席しているものと判定されることは説明するまでもない。
【００３７】
ステップＳ３２〜Ｓ３７までの処理を各座席４ごとに繰り返す（ステップＳ３８）。たとえば、座席番号の小さい方から大きい方へと順次繰り返し行なうものとする。
【００３８】
以上説明したように、第２の実施の形態によれば、自動的に出欠確認を行なうことにより、確認作業者の負担が軽減するとともに、会場での出席者の手続きが不要となり、かつ、カード等を所持管理する必要がない。また、各部屋単位でシステムを構築することが可能であり、低コストで出欠確認を実現できる。
【００３９】
さらに、各出席者をそれぞれ撮像するため、第１の実施の形態に比べ個別の対応が行なえる。また、着席した状態で顔照合を行なうことにより、カードの使いまわし等の不正を防止できる。また、一定期間出席者の顔画像を保存し、再利用することが可能となり、事前登録手続きを省くことができる。また、着席している状況をカメラで定期的に撮像することで、入退出状況を把握することができる。
【００４０】
なお、上記第１、第２の実施の形態では、１つのカメラ６を用いた場合について説明したが、複数のカメラ、たとえば、図６に示すように、部屋２０の四隅にそれぞれカメラ６を設置することで、部屋２０を４等分してそれぞれに対し出欠確認処理を分割して行なうようにしてもよい。
【００４１】
次に、第３の実施の形態について説明する。  
なお、基本的なシステム構成は前述した第１の実施の形態と同様であるので説明は省略し、第１の実施の形態と異なる部分についてだけ詳細に説明する。  
まず、第３の実施の形態では、たとえば、図７に示すように、各机３上の各座席４と対応する部位にそれぞれカメラ６を設置し、各出席者Ｍの顔画像を個別に撮像するものとする。
【００４２】
次に、第３の実施の形態に係る出欠確認処理の流れについて図８に示すフローチャートを参照して説明する。まず、座席データベース９にあらかじめ登録されている各座席４の位置情報を読込む（ステップＳ４１）。
【００４３】
次に、座席データベース９から読込んだ座席４の位置情報を基に、各座席４に対して設置したカメラ６で各座席４の画像を順次撮像することで顔画像を取得する（ステップＳ４２）。すなわち、撮像された座席４の画象から人物らしき姿を検出した後、その人物画像から目、鼻を探し特徴情報を抽出し顔検出処理を行なうことで、それが人物であると判断し、座席４に出席者Ｍが着席していることを検出する。
【００４４】
次に、検出した顔画像と、当該顔画像を検出したカメラ６が設置されている座席４の位置情報を基に顔画像データベース８から検索した顔画像とを照合する（ステップＳ４３）。この照合の結果、両顔画像の間に所定の関係が成立する場合、この例では両顔画像が一致の場合（ステップＳ４４）、正規の出席者Ｍ本人が出席しているものと判定し（ステップＳ４５）、両顔画像の間に所定の関係が成立しない場合、この例では両顔画像が不一致の場合（ステップＳ４４）、正規の出席者Ｍ本人が欠席しているものと判定し（ステップＳ４６）、当該判定結果を対応する座席番号等とともに出欠管理メモリ１０に保存して管理するとともに、出力装置１１で出力する（ステップＳ４７）。なお、顔画像が検出されなかった場合、出席者Ｍが欠席しているものと判定されることは説明するまでもない。
【００４５】
ステップＳ４２〜Ｓ４７までの処理を各カメラ６（各座席４）ごとに繰り返す（ステップＳ４８）。たとえば、座席番号の小さい方から大きい方へと順次繰り返し行なうものとする。
【００４６】
以上説明したように、第３の実施の形態によれば、自動的に出欠確認を行なうことにより、確認作業者の負担が軽減するとともに、会場での出席者の手続きが不要となり、かつ、カード等を所持管理する必要がない。また、各部屋単位でシステムを構築することが可能であり、低コストで出欠確認を実現できる。
【００４７】
また、各出席者をそれぞれ撮像するため、第１の実施の形態に比べ個別の対応が行なえる。また、カメラを各座席に対してそれぞれ設置するので、第１の実施の形態に比べ、カメラの位置や向きの設定が簡単であり、出席者の顔画像を下方から撮像でき、的確な撮像が容易である。
【００４８】
さらに、着席した状態で顔照合を行なうことにより、カードの使いまわし等の不正を防止できる。また、一定期間出席者の顔画像を保存し、再利用することが可能となり、事前登録手続きを省くことができる。また、着席している状況をカメラで定期的に撮像することで、入退出状況を把握することができる。
【図面の簡単な説明】
【００４９】
【図１】本発明の第１の実施の形態に係る出欠確認システムの構成を概略的に示す模式図。
【図２】座席の位置情報を取得する第１の取得方法について説明するフローチャート。
【図３】座席の位置情報を取得する第２の取得方法について説明するフローチャート。
【図４】本発明の第１の実施の形態に係る出欠確認処理の流れについて説明するフローチャート。
【図５】本発明の第２の実施の形態に係る出欠確認処理の流れについて説明するフローチャート。
【図６】本発明の第１、第２の実施の形態に係る出欠確認システムの変形例を説明する模式図。
【図７】本発明の第３の実施の形態に係る出欠確認システムの要部構成を概略的に示す模式図。
【図８】本発明の第３の実施の形態に係る出欠確認処理の流れについて説明するフローチャート。
【符号の説明】
【００５０】
２０…部屋（出席対象エリア）、１，２…出入口、３，５…机、４…座席、Ｍ…出席者、６…カメラ（撮像手段）、７…顔照合サーバ、８…顔画像データベース（第１の記憶手段）、９…座席データベース（第２の記憶手段）、１０…出欠管理メモリ、１１…出力装置、１２…顔画像登録装置。
【図１】
2008250830.tif 000003
【図２】
2008250830.tif 000004
【図３】
2008250830.tif 000005
【図４】
2008250830.tif 000006
【図５】
2008250830.tif 000007
【図６】
2008250830.tif 000008
【図７】
2008250830.tif 000009
【図８】
2008250830.tif 000010